(57)【特許請求の範囲】
【請求項１】
カバーシート（１１）と、支持スティック（１２）の組み合わせによって構成され、
前記カバーシート（１１）は、顔面の左右の耳前部付近から額の生え際に沿う範囲に接する長さの上端辺（１３）を有するとともに、その上端辺（１３）から顔面前面をカバーする大きさに拡がり、
前記支持スティック（１２）は、左右一対のスティック部（１５）を有し、各スティック部（１５）は前記カバーシート（１１）に対する取り付け部（１６）と、その取り付け部（１６）に連続した支持部（１７）と、その支持部（１７）に連続した把持部（１８）とから形成され、前記把持部（１８）はその端部において相互に引き揃えて結合され、
前記支持スティック（１２）の各取り付け部（１６）が前記カバーシート（１１）の上端辺の両端部又はその近傍のカバーシート（１１）の部分と一体化され、前記支持部（１７）が前記上端辺（１３）の延長方向に延び、
前記支持スティック（１２）は、前記一対のスティック部（１５）が相互に接近離反する方向の弾性を有し、不使用状態においてその取り付け部（１６）相互が顔面の左右の耳前部付近間の幅より若干小さい幅を持って対向するように形成され
使用状態において、前記取り付け部（１６）が取り付けられたカバーシート（１１）の部分がスティック部（１５）の弾性によって左右の耳前部付近の顔面に押し当てられ、前記支持部（１７）が耳前部付近からあごの下方に延び、前記把持部（１８）があごの下方に垂下し、
前記支持スティック（１２）が前記取り付け部（１６）を基点として前後方向に揺動可能となる理美容用フェースカバー。
【請求項２】
前記カバーシート（１１）は、前記上端辺（１３）の中間部から前記カバーシート（１１）の前辺（２２）の中間部にわたり折り目（１９）が形成されている請求項１に記載の理美容用フェースカバー
【請求項３】
前記取り付け部（１６）の前記カバーシート（１１）に対する一体化構造が、前記カバーシート（１１）と前記取り付け部（１６）の両方に接合した面ファスナー（２５）（２６）の着脱自在の結合によるものである請求項１又は２に記載の理美容用フェースカバー。
【請求項４】
前記取り付け部（１６）の前記カバーシート（１１）に対する一体化構造が、前記カバーシート（１１）に設けたポケット型の差し込み部（２７）に対して前記取り付け部（１６）を抜き差し自在に差し込んで取り付けた構造である請求項１又は２に記載の理美容フェースカバー。
【請求項５】
前記支持スティック（１２）は、塑性変形可能は針金によって構成され、不使用状態において左右のスティック部（１５）が相互に接近するように形成され、前記カバーシート（１１）が前記折り目（１９）から二つ折れ状態となっている請求項２に記載の理美容用フェースカバー。
【発明の詳細な説明】
【発明の詳細な説明】
【技術分野】
【０００１】  この発明は、理容又は美容（以下、単に理美容という。）の分野において、被施術者の顔面をカバーする用具、即ちフェースカバーに関するものである。
【背景技術】
【０００２】  理美容の分野において、カットした頭髪が被施術者の身体や着衣に付くことを防止するために、布製のカバー（いわゆる、刈布）の一端部を首の周囲に巻き付け、残りの部分を身体の上半分に垂らすことが従来から一般に行われている。【０００３】  この刈布を着用した状態では顔面が露出しているため、前髪をカットした場合に、カットされ身体から離脱した頭髪が顔面に沿って落下する際に顔面に付着することがある。顔面に付着した頭髪は施術者が刷毛によって払い落としたり、タオル等で拭き取ったりするようにしている。【０００４】  しかし、刷毛で払い落としたり、拭き取ったりすると、顔面に化粧を施している女性の場合は、化粧が崩れたり落ちたりすることがあり、施術後、頭髪がきれいに仕上がっても、顔面の化粧がそれにそぐわない状態になっていることが多い。このため、化粧した女性の場合は、カットした頭髪が顔面に付着することを避けたがるのが通常である。【０００５】  カットした頭髪が顔面に付着することを防止するため、被施術者の顔面にフェースカバーを装着することが考えられる。理美容の分野において、被施術者に装着するフェースカバーとして、従来から知られているものに、顔の前面をカバーするカバーシートの左右両側辺にベルトを取り付け、その左右のベルトを頭部の後方に回して面ファスナー等で結合するようにしたものが知られている（特許文献１）。【０００６】  また、カットされた頭髪の付着を防止する目的ではないが、ヘアマニキュア等の染毛剤が顔面等に付着するのを防止するために、頭部周囲に嵌めるリングにカバーシートを垂らし、これによって顔面及びその周辺をカバーする用具も知られている（特許文献２）。この用具を装着した場合、カットされた頭髪が顔面に付着することを一応防止することができる。【０００７】  さらに、フェースカバーとＹ字形の支持スティックとの組み合わせからなるヘアースプレー除けも従来から知られている（特許文献３）。このヘアースプレーカバーは、カバーの上端縁を額前部から左右の耳付近までの髪の生え際に添わせるように湾曲させ、前傾状態で顔面前方をカバーするようになっている。支持スティックは、その湾曲状態と前傾状態を維持するとともに、そのカバーの重量を支持する機能を有するものである。【０００８】  このヘアースプレー除けを、カットされた前髪が顔面に付着するのを防止する道具に転用することが考えられる。【０００９】
【特許文献１】特開２００３−１１１６１５号公報
【特許文献２】特開平１１−７００１５４号公報
【特許文献３】実公昭４５−２７００５号公報
【発明の開示】
【発明が解決しようとする課題】
【００１０】  前記特許文献１及び２のようなフェースカバーは次のような問題がある。
１）被施術者の頭部の周囲にベルトを巻き付けて装着したり、リングを被せたりする作業は、通常は施術者が行う作業となるため手間がかかり、施術の能率が低下する。
２）頭部の周囲に装着したベルトやリングが頭髪の施術の際に邪魔になる。
３）被施術者は、施術中顔面の前面が閉塞される息苦しさがある。【００１１】  前記特許文献３の場合は次のような問題がある。即ち、この場合のフェースカバーは、前傾角度が一定しており、ヘアースプレーする際の角度より、さらに深く傾斜させるなど、その傾斜角度を一層深い角度に自由に変更することはできない構造である。そのような機能は、その用途からみて考慮されていないということができる。【００１２】一方、前髪カットの際は、額に接して垂れ下った前髪の背面側に、フェースカバーを差し込んでその前面に垂らせる必要がある。さらに、その前髪を切り揃える場合はフェースカバーの前傾角度が浅いと前髪が持ち上げられた状態となり、正確な垂れ下り位置が判明し難いし、カットにも支障をきたすことがある。このため、前髪カットの際は、フェースカバーと額との間にすきまを生じさせることなく前傾角度を深くして出来るだけ額に接近させる必要がある。【００１３】また、頭頂部や後頭等の髪をカットする場合は、カットされた髪が顔面にかかることがないので、息苦しさを避けるためにフェースカバーの前傾角度が浅くなるように変更できることが望ましい。【００１４】  このように、前髪カットの場合は、フェースカバーの前傾角度を適宜変更できることが望ましいが、特許文献３のフェースカバーではそのような要求に応じることができない。【００１５】  以上のような点を考慮して、この発明は、フェースカバーを被施術者が必要に応じて着脱するようにすることにより施術者が装着する手間を省き、装着状態においても施術の邪魔になることがないようにし、さらに、カットする頭髪の部位に応じてフェースカバーの前傾角度を自由に変えることがでる理美容用フェースカバーを提供することを課題とする。
【発明の開示】
【課題を解決するための手段】
【００１６】  前記の課題を解決する理美容用のフェースカバーは、カバーシート１１と、支持スティック１２の組み合わせによって構成され、前記カバーシート１１は、顔面の左右の耳前部付近から額の生え際に沿う範囲に接する長さの上端辺１３を有するとともに、その上端辺１３から顔面前面をカバーする大きさに拡がり、前記支持スティック１２は、左右一対のスティック部１５を有し、各スティック部１５は前記カバーシート１１に対する取り付け部１６と、その取り付け部１６に連続した支持部１７と、その支持部１７に連続した把持部１８とから形成され、前記把持部１８はその端部において相互に引き揃えて結合され、前記支持スティック１２の各取り付け部１６が前記カバーシート１１の上端辺の両端部又はその近傍のカバーシート１１の部分と一体化され、前記支持部１７が前記上端辺１３の延長方向に延び、前記支持スティック１２は、前記一対のスティック部１５が相互に接近離反する方向の弾性を有し、不使用状態においてその取り付け部１６相互が顔面の左右の耳前部付近間の幅より若干小さい幅を持って対向するように形成され、使用状態において、前記取り付け部１６が取り付けられたカバーシート１１の部分がスティック部１５の弾性によって左右の耳前部付近の顔面に押し当てられ、前記支持部１７が耳前部付近からあごの下方に延び、前記把持部１８があごの下方に垂下し、前記支持スティック１２が前記取り付け部１６を基点として前後方向に揺動可能となるように構成したものである。【００１７】  上記の構成でなるこの発明の理美容用フェースカバーは、被施術者が支持スティック１２を左右に拡げるか又はカバーシート１１の上端辺１３の両端部を左右に拡げながら、自身の左右の耳前付近から額の生え際にその上端辺１３を密着させる。【００１８】  上端辺１３の中央部は額の生え際の中間部にあり、上端辺１３の両端部は耳前部付近にあるという前後方向の位置関係によって、上端辺１３は前方に傾斜した状態に装着される。【００１９】  上端辺１３の傾斜状態に応じてカバーシート１１は前傾状態となる。また、カバーシート１１はそれ自体の弾性により、上端辺１３の部分に比べ、前辺２２側が左右に拡がる。【００２０】  支持スティック１２は、左右の取り付け部１６がそれぞれ左右の耳前部付近でそれぞれ内向きの弾性を及ぼし、カバーシート１１を適当な弾性で顔面の左右に押し当てる。支持スティック１２の支持部１７が左右のあご骨に沿って前傾し、把持部１８があご下で垂れ下がる。【００２１】  カバーシート１１は上記の装着状態において、上端辺１３が顔面に接することによる摩擦と、支持スティック１２の内向きの弾性によってカバーシート１１が顔面の左右に押し当てられることにより一応安定状態に装着される。被施術者が支持スティック１２の把持部１８を軽く把持すると、カバーシート１１の装着状態は一層安定する。【００２２】  支持スティック１２の把持部１８があご下で垂れた自然の状態から、被施術者が把持部１８を把持して前方に軽く力を加えると、支持スティック１２は、取り付け部１６を基点にして前方に傾斜する。【００２３】  取り付け部１６が取り付けられたカバーシート１１の両側辺２１に沿った部分が取り付け��１６の傾斜に伴い両側に膨らみ、その膨らみにより生じるテンションによりカバーシート１１の全体が顔面に接近する。即ち、カバーシート１１の前傾角度が深くなる。【００２４】  施術の休止時や完了後においては、左右のスティック部１５又は上端辺１３の両端部を左右に拡げると、カバーシート１１が顔面から外れる。【００２５】  なお、この発明において「耳前部付近」というのは、被施術者のコメカミからその下方の耳前部を経てあご骨に達する上下方向の範囲を意味する。このような表現としたのは、上端辺１３の長さが一定であるとすると、被施術者の顔の大きさによって、その両端部の位置が一定せず、上記の範囲でばらつくことを考慮したものである。
【発明の効果】
【００２６】  この発明の理美容用フェースカバーは以上のようなものであり、カットされた頭髪（主として前髪）はカバーシート１１上に落下して下方に滑り落ちる。このため、カットされた頭髪が被施術者の顔面に付着することが防止される。【００２７】  また、このフェースカバーは、カバーシート１１の上端辺１３の摩擦や支持スティック１２の弾性により、又はこれに被施術者による支持スティック１２を把持する力によって支持されるものである。このため、頭部の周りにバンドやリングを装着する必要がないので施術の邪魔になることがない。【００２８】  被施術者が、施術の状況に応じて自身で装着したり外したりすることができるので、施術の能率を妨げない。【００２９】  装着状態において、カバーシート１１が前方に傾斜しているため、鼻や口周辺から十分な距離があり、息苦しさを与えることがない。【００３０】  装着状態において、支持スティック１２を前方に押し出すようにその傾斜角度を変えると、カバーシート１１の前傾角度が深くなって額に接近するので、カバーシート１１によって持ち上げられていた前髪が額に接近する。このため、額上に垂れ下がった前髪のカット位置を正しく定めることができる。
【発明を実施するための最良の形態】
【００３１】  以下、この発明を添付図面に示した実施例に基づいて説明する。
【実施例１】
【００３２】  図１から図６に示した実施例１の理美容用フェースカバーは、カバーシート１１と、支持スティック１２の組み合わせよって構成される。【００３３】  カバーシート１１は、図１又は図２（ａ）に示したように、顔面の両方の耳前部付近から額の生え際に沿う範囲に接する長さの上端辺１３を有する。カバーシート１１はその上端辺１３から顔面の前面をカバーする大きさに拡がる。上端辺１３は不使用状態においては図３に示したように逆Ｕ字形に湾曲するので、カバーシート１１もその湾曲に従って緩やかに逆Ｕ字形に湾曲する。【００３４】  カバーシート１１は、透明又は半透明のある程度の腰のあるプラスチックシート（例えば、厚さ０．２〜０．４ｍｍのＰＥ又はＰＰＥシート）によって形成される。そのカバーシート１１は、図２（ａ）に示したように、上端辺１３と、その上端辺１３の両端部に直角に形成された側辺２１と、その側辺２１から緩やかなカーブを描いて台形状に延び出す前辺２２によって囲まれる。上端辺１３の中間点と、前辺２２の中間点との間に緩やかな山形折り目１９が形成され、その折り目１９の部分が最も長く前方に延び出し、カバーシート１１は全体として顔面前方のほぼ全体をカバーする大きさを有する。【００３５】  上端辺１３は直線か又は多少の曲線を含んだ形状をなし、カバーシート１１の端縁部の表面と裏面に不織布等の保護テープ１４を接合することにより形成される（図２（ｂ）参照）。保護テープ１４は、カバーシート１１の切断縁が直接肌に触れることを防止し感触をやわらげる。【００３６】  支持スティック１２は、図１、図３等に示したように、左右一対のスティック部１５、１５の下端部を引き揃えて結合して、全体としてＹの字形に形成されたものであり、所要の弾性を備えたプラスチック成形品である。【００３７】  各スティック部１５の先端部（上端部）には、同じ高さにおいて平板状の取り付け部１６が相互に対面するように設けられる。その取り付け部１６の下端に支持部１７が形成され、その支持部１７から下方は把持部１８となっている。支持部１７は下方に至るに従い相互に接近し、把持部１８が相互にほぼ平行に引き揃えられ、下端においてＵの字形に結合される。平板状の取り付け部１６を除き支持部１７及び把持部１８は、断面が円形又は楕円形をなす棒状体である。【００３８】  前記支持スティック１２は、通常状態においては、左右の取り付け部１６相互間の間隔が、顔面の左右の耳前部付近の間隔より若干狭く形成されている。使用時に左右の耳前部付近まで広げることにより（図５の一点鎖線参照）、復元方向の弾性が生じる。【００３９】  支持部１７は、耳前部付近からあご骨に沿って前傾し、あご下に達する長さに形成される（図１参照）。把持部１８は、あごの下方から胸元に達する長さに形成され、被施術者が片手で把持し易い位置まで垂下する。【００４０】  支持スティック１２とカバーシート１１との結合構造は、図３に示したように、支持スティック１２の両方の取り付け部１６を、上端辺１３の両端部近傍のカバーシート１１の外表面に接着又は溶着することによって取り付ける。支持スティック１２は、上端辺１３と実質的に平行（即ち、側辺２１に対し直角）に配置され、把持部１８が最もカバーシート１１から離れた位置となる。【００４１】  支持スティック１２は上記のように、上端辺１３と平行となるように取り付けられる場合のほか、上端辺１３に対してカバーシート１１側に多少角度をもって斜めに取り付けられる場合もある。また、取り付け部１６を上端辺１３の端部に接合する構成もとることができる。【００４２】  カバーシート１１は、その上端辺１３が逆Ｕの字形に湾曲され、その湾曲形に従ってカバーシート１１全体は、折り目１９を中心として全体に逆Ｕの字形に湾曲される（図４の実線参照）。この状態が不使用状態である。【００４３】  前記の不使用状態において、上端辺１３側からカバーシート１１を見ると、図４に示したように、カバーシート１１の左右の部分が上端辺１３の左右に張り出して見えるが、これはカバーシート１１がそれ自身の弾性によって左右に膨出した状態となっていることを示している。【００４４】  実施例１のフェースカバーは以上のような構成であり、次にその使用法について説明する。【００４５】  理美容の施術途中において、前髪をカットする作業に入る前に、施術者が被施術者にこのフェースカバーを渡し装着を依頼する。【００４６】  被施術者は、カバーシート１１の上端辺１３の左右両端部又は支持スティック１２の左右の支持部１７、１７を左右の手で保持し、顔面の幅より多少広くなるように拡げながら顔面の前方に持ち上げ、上端辺１３を額の生え際から、左右の耳前方付近に沿わせて押し当てる。手を離すと支持スティック１２の弾性によって左右の取り付け部１６が上端辺１３を含むカバーシート１１を左右から内向きに所要の弾力で顔面に押し当てる。同時に上端辺１３が顔面に密着して摩擦を生じ、装着状態となる。【００４７】  図１及び図５は上記の装着状態を示す。図示の被施術者は比較的顔が小さいため、上端辺１３の両端部の位置（取り付け部１６の位置）は耳前部付近の最も下位、即ち、あご骨部分にある。この被施術者より顔が大きい場合は、前記の位置が高くなり、最も高い場合は、コメカミ部分に達する。【００４８】  支持スティック１２とカバーシート１１は左右に拡がり、カバーシート１１は中央部の折り目１９を含んだ部分が稜線となって緩やかに湾曲し、全体に左右方向へ拡がる（図４の一点鎖線参照）。【００４９】  上端辺１３の中央部（生え際の額中央部）と、その両端部（耳前方付近）の前後方向の位置関係は、上端辺１３の中央部の方が前方にあり、両端部が後方に位置するので、上端辺１３は全体として前方へ傾く（図５参照）。その傾きに従いカバーシート１１は、前辺２２の部分が折り目１９を中心として最も前方に突き出すように全体が前傾し、下方に至るに従い顔面から離れる。このため、カバーシート１１の顔面への装着状態において、鼻や口部分の前方に十分な空間が生じる。【００５０】  このとき支持スティック１２は、支持部１７が耳前方付近からあご骨の位置に沿って前傾し、把持部１８があごの下方の胸前に自然に垂れ下がる。支持スティック１２は、その復元弾性によって、耳前方付近を左右から挟むことによりカバーシート１１は一応の安定状態となる。一層安定良く支持させるために、被施術者が把持部１８を片手で把持するとよい。【００５１���  前述のように、支持スティック１２は上端辺１３に対し平行又は多少の角度をもって取り付けられているので、前記の装着状態において、取り付け部１６を基点として上端辺１３に対して前方に屈曲してその把持部１８が胸部分に接触する（図５の一点鎖線参照）。取り付け部１６を基点とした支持スティック１２の屈曲角は、取り付け部１６の位置が低い図１、図５の場合は比較的小さい角度であるが、その位置が高くなるほど屈曲角は大きくなる。【００５２】  支持スティック１２が取り付け部１６を基点として屈曲角をとると、カバーシート１１の側辺２１に沿った部分が左右方向に一層張り出すので、カバーシート１１にテンションが付与されて左右に拡がり、顔面に接近する傾向をもつ。【００５３】  被施術者が把持部１８を把持して、図５の一点鎖線で示した自然状態の位置から把持部１８を矢印Ａで示したように実線位置まで移動させる。即ち、支持スティック１２の傾斜角を大きくさせと、カバーシート１１は一点鎖線の状態から実線で示したように顔面に接近する（図６の矢印Ａ参照）。即ち、カバーシート１１の前傾角度が深くなる。【００５４】  このとき、カバーシート１１の両側部は左右方向に一層膨出する。図６においてその膨出部ａを示す。さらに、支持スティック１２を矢印Ｂで示したように、二点鎖線で示した位置まで大きく傾斜させると、カバーシート１１は、前記の膨出に伴うテンションの増大によって一層左右に拡がり顔面に接近する。この接近状態を図６において矢印Ｂで示し、カバーシート１１の前傾角度が一層深くなり、さらに顔面に接近することを示す。【００５５】  通常の施術状態では、把持部１８の位置は図５の一点鎖線又は実線で示したように比較的浅い前傾角度に保持する。カットされた前髪はカバーシート１１の上に落下して滑り落ちるので、顔面に接触することはない。また、把持部８を把持する被施術者の手にも髪が掛かることもない。【００５６】  施術の途中において、ヘアースタイルによっては、前髪が額上に垂れた場合があり、その前髪を額に添わせて切り揃える必要が生じることがある。この場合、カバーシート１１の傾斜が図５の一点鎖線又は実線で示したような緩やかな前傾状態では、これに沿って前髪が持ち上がり、額に沿った状態とはならない。このときは、被施術者に支持スティック１２の傾斜角を大きくとるよう、即ち、矢印Ｂで示したように前方に操作することを依頼する。【００５７】  この操作によってカバーシート１１の前傾角度が一層深くなって顔面に接近し、額とほぼ平行となる（図５の二点鎖線参照）。この状態で前髪をカバーシーと１１に沿わせ前記のカットを行うと、額に接近した状態でカットを行うことができ、カット位置を誤ることがない。【００５８】  頭頂部やその近傍の前頭部の前髪をカットする場合は、カバーシート１１の前傾角度は浅くてよいので、息苦しさから解放される。前髪カットの施術が終了すれば、被施術者がカバーシート１１を左右に拡げてこれを外す。
【実施例２】
【００５９】  図７に示した実施例２は、支持スティック１２を針金のような、塑性変形し易い線材によって形成した例である。この場合の支持スティック１２は不使用状態において、左右のスティック部１５が接近しており、カバーシート１１も央の折り目１９において二つ折れに畳まれる。【００６０】  支持スティック１２の左右の取り付け部１６がカバーシート１１の左右の外表面に接着されることは、前記の場合と同様であり、支持部１７、把持部１８が上端辺１３と平行に延びていることも同様である。【００６１】  これを顔面に装着する場合、前記の場合と同様の要領で上端辺１３を拡げて、額の生え際に沿わせると、支持スティック１２は、多少の弾性を持ちながら塑性変形して左右に拡がる（図７の一点鎖線参照）。これに応じて支持スティック１２がＹの字形に拡げられる。【００６２】  装着方法や施術の際の操作は前述の実施例１の場合と同様であるので、その説明を省略する。使用後は左右のスティック部１５が接近するように塑性変形させると、カバーシート１１も二つ折れ状態に戻る。【００６３】  この実施例２の場合は、不使用時は二つ折に畳まれるので、収納・運搬等に便利である。
【実施例３】
【００６４】  図８（ａ）（ｂ）及び図９（ａ）（ｂ）に示した実施例３は、カバーシート１１に対する支持スティック１２の取り付け部１６の一体化構造の例を示す。
図８（ａ）（ｂ）の場合は、カバーシート１１の外表面と、取り付け部１６の内面にそれぞれ面ファスナー２５，２６を接着したものである。これによって、取り付け部１６は、カバーシート１１に対し着脱自在に結合一体化される。【００６５】  図９（ａ）（ｂ）の場合は、カバーシート（１１）に設けたポケット型の差し込み部２７に対して前記取り付け部１６を抜き差し自在に差し込んで取り付けた構造である。差し込み部２７は、カバーシート１１の側辺２１に近い辺が開放され、他の３辺が接着又は溶着される。取り付け部１６は、その差し込み部２７に対し、ガタつきなく嵌合一体化される。【００６６】  上記いずれの場合も、カバーシート１１と支持スティック１２が分離できるので、収納等に便利である。
【図面の簡単な説明】
【００６７】
【図１】実施例１の使用状態の斜視図
【図２】（ａ）は実施例１のカバーシートの平面図、（ｂ）は（ａ）図のｂ−ｂ線の断面図
【図３】実施例１の通常状態における斜視図
【図４】同上の正面図
【図５】同上の使用状態の一部省略側面図
【図６】図５のＸ−Ｘ線の断面図
【図７】実施例２の通常状態における正面図
【図８】（ａ）実施例３の一部側面図、（ｂ）（ａ）図の断面図
【図９】（ａ）実施例３の他の例の一部側面図、（ｂ）（ａ）図の断面図
【符号の説明】
【００６８】１１  カバーシート
１２  支持スティック
１３  上端辺
１４  保護テープ
１５  スティック部
１６  取り付け部
１７  支持部
１８  把持部
１９  折り目
２１  側辺
２２  前辺
２５  面ファスナー
２６  面ファスナー
２７  差し込み部
【要約】      （修正有）【課題】理美容における頭髪のカットの際に、カットされた前髪が被施術者の顔面に付着することを防止することである。【解決手段】カバーシート１１が顔面の左右の耳前部付近から額の生え際に沿う上端辺１３を有するとともにその上端辺１３から顔面前方をカバーする大きさに拡がり、Ｙの字形の支持スティック１２の上端部に取り付け部１６、下端部に把持部１８が設けられ、その取り付け部１６が前記上端辺１３の両端部においてカバーシート１１に接着され、顔面に装着した状態でカバーシート１１が前傾状態に顔面前方をカバーし、被施術者が胸元で支持スティック１２を把持する。支持スティック１２を前方に傾斜させると、カバーシート１１の前傾角度が深くなる。【選択図】図１【図１】
0004328901.tif 000002
【図２】
0004328901.tif 000003
【図３】
0004328901.tif 000004
【図４】
0004328901.tif 000005
【図５】
0004328901.tif 000006
【図６】
0004328901.tif 000007
【図７】
0004328901.tif 000008
【図８】
0004328901.tif 000009
【図９】
0004328901.tif 000010